(57)【要約】      （修正有）【課題】迅速容易に提供可能なマスクの作製に使用できるマスク具を提供する。【解決手段】第一開口１１を有する表側シート１０、第二開口２１を有し、表側シートと重ねられる裏側シート２０、及び装着具３０、４０を備えており、表側シート及び裏側シートにてフィルターが挟まれたときに第一開口及び第二開口によってフィルターの通気性が確保される。【選択図】図１
0003227134.tif 000002
【実用新案登録請求の範囲】
【請求項１】
第一開口を有する表側シート、
第二開口を有し、前記表側シートと重ねられる裏側シート、
及び
装着具
を備えており、
前記表側シート及び前記裏側シートにてフィルターが挟まれたときに前記第一開口及び前記第二開口によって前記フィルターの通気性が確保される、マスク具。
【請求項２】
前記装着具が、
前記表側シート又は前記裏側シートに固定された左耳掛け
及び
前記表側シート又は前記裏側シートに固定された右耳掛け
を含む、請求項１に記載のマスク具。
【請求項３】
前記表側シート、前記裏側シート及び前記装着具が、一体的に成形されている、請求項１又は２に記載のマスク具。
【請求項４】
前記マスク具の材質が、ポリマー発泡体である、請求項１から３のいずれか一項に記載のマスク具。
【請求項５】
前記ポリマー発泡体の基材ポリマーが、エチレン酢酸ビニル共重合体（ＥＶＡ）である、請求項４に記載のマスク具。
【請求項６】
前記ポリマー発泡体が、独立気泡を含む、請求項４又は５に記載のマスク具。
【考案の詳細な説明】
【技術分野】
【０００１】
本考案は、マスクの構成部材であるマスク具に関する。
【背景技術】
【０００２】
従来、マスクは、感染症予防、花粉症予防、粉塵吸込み予防等に用いられている。例えば、感染症予防用マスクの例が特許文献１及び２に記載されている。
【先行技術文献】
【特許文献】
【０００３】
【特許文献１】登録実用新案第３２１１０００号公報
【特許文献２】特開２００５−１３１０７２号公報
【考案の概要】
【考案が解決しようとする課題】
【０００４】
従来、布製マスクが一般に用いられていたが、洗浄が面倒であることから、昨今、使い捨ての不織布マスクが普及してきた。しかし、感染症が流行しているときなどはマスクが品薄になりがちという問題が生じる。そこで、迅速容易に提供可能なマスクが求められている。
【０００５】
本考案は、このような問題に鑑みてなされたものであり、迅速容易に提供可能なマスクの作製に使用できるマスク具の提供を目的とするものである。
【課題を解決するための手段】
【０００６】
第一開口を有する表側シート、第二開口を有し表側シートと重ねられる裏側シート、
及び装着具を備えており、表側シート及び裏側シートにてフィルターが挟まれたときに第一開口及び第二開口によってフィルターの通気性が確保されるマスク具が提供される。
好ましくは、装着具は、表側シート又は裏側シートに固定された左耳掛け及び表側シート又は裏側シートに固定された右耳掛けを含む。
好ましくは、表側シート、裏側シート及び装着具は、一体的に成形されている。
好ましくは、マスク具の材質は、ポリマー発泡体である。
好ましくは、ポリマー発泡体の基材ポリマーは、エチレン酢酸ビニル共重合体（ＥＶＡ）である。
好ましくは、ポリマー発泡体は、独立気泡を含む。
【考案の効果】
【０００７】
本考案に係るマスク具は、迅速容易に提供可能なマスクの作製に使用できる。
【図面の簡単な説明】
【０００８】
【図１】本考案に係るマスク具を展開した平面図である。
【図２】本考案に係るマスク具にフィルターを挟んで作製したマスクの平面図である。
【図３】図２のマスクを切断線ＩＩＩ−ＩＩＩで切断した断面図である。
【考案を実施するための形態】
【０００９】
以下、適宜図面が参照されつつ、好ましい実施形態に基づいて本考案が詳細に説明されるが、この図面及び説明に基づいて本考案が限定的に解釈されるべきではない。
【００１０】
図１に示されるマスク具は、上部分が表側シート（１０）であり、下部分が裏側シート（２０）である。表側シート（１０）は第一開口（１１）を有する。裏側シート（２０）は、第二開口（２１）を有し、表側シート（１０）と重ねられる。左右の耳掛け（３０，４０）が表側シート（１０）に固定されているが、左耳掛けが表側シート（１０）又は裏側シート（２０）に固定されてもよく、右耳掛けが表側シート（１０）又は裏側シート（２０）に固定されてもよい。耳掛けが裏側シート（２０）に固定される場合は、表側シート（１０）と裏側シート（２０）を別途繋ぐための、面ファスナー等の補助具が必要となる。
【００１１】
耳掛けを装着具として使用する場合、長時間の装着で耳に苦痛を伴うことから、これを避けるために、頭の後ろを経由してマスクを頭部に装着するために、頭掛けが使用されてもよい。例えば、頭掛けの一方の端が表側シート又は裏側シートに固定されてもよく、他方の端が表側シート又は裏側シートに固定されてもよい。頭掛けは、装着を確実にするとの観点から複数でもよいが、苦痛を軽減するとの観点から１つでもよい。
【００１２】
図２に示されるマスクは、図１のマスク具の表側シート（１０）の裏側にフィルター（５０）を挟んで、裏側シート（２０）を折り曲げ線（５）で折り曲げて表側シート（１０）と重ねることによって作製される。図３に示されるように、フィルター（５０）を挟んで第一開口（１１）と第二開口（２１）は重なり、フィルター（５０）を介した通気口（３１）が形成される。
【００１３】
このように、本考案のマスク具を用いて迅速容易にマスクを作製できる。作製したマスクは、感染症予防、花粉症予防、粉塵吸込み予防等、任意の用途に使用できる。マスク具は、繰り返し使用することができ、新たなフィルターを挟むことによって、新たなマスクを作製できる。フィルターが交換されることにより、衛生的な状態で継続的にマスクが使用され得る。
【００１４】
マスク具の第一開口（１１）及び第二開口（２１）の直径Ｄ（図１）としては、十分な断面積の通気口（３１）が確保されるとの観点から、５ｃｍ以上が好ましい。第一開口（１１）及び第二開口（２１）の形状としては、真円、楕円、長円、矩形等が例示される。マスク具の厚みＴ（図３）は、１．０ｍｍ以上３．０ｍｍ以下が好ましい。厚みＴが１．０ｍｍ以上のマスク具は、柔軟であるため、装着性に優れる。厚みＴが３．０ｍｍ以下のマスク具は、強度に優れる。
【００１５】
図１に示されるマスク具は、表側シート（１０）、裏側シート（２０）、及び左右の耳掛け（３０，４０）が、一体的に成形されているが、これらが別々に成形された後に接合されてもよい。
【００１６】
マスク具の好ましい材質は、気泡を含むポリマー成形体（すなわちポリマー発泡体、以下「ポリマー発泡体」とも称される）である。ポリマー発泡体は、柔軟であるため、装着感がよい。
【００１７】
ポリマー発泡体の基材ポリマーとしては、エチレン酢酸ビニル共重合体（ＥＶＡ）、ポリエチレン、ポリプロピレン、ポリ塩化ビニル、天然ゴム及び各種合成ゴム等が例示される。２以上の基材ポリマーが併用されてもよい。成形容易の観点から、熱可塑性樹脂が好ましい。焼却処分されたときに有害物質が発生しないとの観点から、ポリオレフィン系樹脂（エチレン酢酸ビニル共重合体、ポリエチレン、ポリプロピレン等）が好ましく、形状復元力及び柔軟性に優れるエチレン酢酸ビニル共重合体（ＥＶＡ）が特に好ましい。
【００１８】
ポリマー発泡体の気泡は、通常は熱分解型発泡剤の発泡によって形成される。用いられる熱分解型発泡剤としては、アゾ化合物、ニトロソ化合物、トリアゾール化合物等が例示される。発泡剤と共に、発泡助剤が用いられることが好ましい。
【００１９】
マスク具の製作では、基材ポリマー、発泡剤、発泡助剤及び各種添加剤が密閉式混練機で混練され、ポリマー組成物が得られる。このポリマー組成物が、カレンダーロール機等のロール機、押出機等でシート状とされる。このシート状ポリマー組成物が、成形型内で加熱及び加圧される。加熱温度は、発泡剤の分解温度よりも高い温度に設定される。加熱によって発泡剤が発泡し、母材が得られる。この母材が打ち抜かれることで、マスク具が得られる。
【００２０】
マスク具の発泡倍率（気泡が存在しない場合の密度に対する気泡が存在する場合の密度の比）は、１．５倍以上２０倍以下が好ましい。発泡倍率が１．５倍以上であるマスク具は、柔軟性に優れる。この観点から、発泡倍率は３倍以上が特に好ましい。発泡倍率が２０倍以下であるマスク具は、強度に優れる。この観点から、発泡倍率は１０倍以下が特に好ましい。
【００２１】
ポリマー発泡体の気泡は、独立気泡であってもよく、連続気泡であってもよい。独立気泡を有するマスク具は、唾液や鼻水等の水分を吸収しないため、衛生上好ましい。
【００２２】
このような本考案のマスク具に挟むフィルターとしては、布製フィルター、紙製フィルター等が例示される。布としては、ガーゼ、不織布等が例示される。ウイルス等の通過を効果的に遮断できるとの観点から、不織布が好ましい。紙としては、ティッシュペーパー、キッチンペーパー、コーヒーフィルター等が例示される。迅速容易にマスクを作製できるとの観点から、ティッシュペーパーが好ましい。
【産業上の利用可能性】
【００２３】
本考案に係るマスク具は、迅速容易に提供可能なマスクの作製に使用できる。
【符号の説明】
【００２４】
１０・・・表側シート
１１・・・第一開口
２０・・・裏側シート
２１・・・第二開口
３０・・・左耳掛け
４０・・・右耳掛け
３１・・・通気口
５・・・折り曲げ線
５０・・・フィルター
Ｄ・・・直径
Ｔ・・・厚み
ＩＩＩ−ＩＩＩ・・切断線
【図１】
0003227134.tif 000003
【図２】
0003227134.tif 000004
【図３】
0003227134.tif 000005